(57)【要約】【課題】ホースの固定／解放作業を簡略化するとともにホース保持の自由度を高める。【解決手段】アタッチメント配管としての複数本の中継ホース９ｂの各基端部に取付けられる複数のブラケット１２と、各ブラケット１２に抜き差し自在に挿通されて各ホース９ｂを吊持する吊りロッド１４と、吊りロッド１４とアダプタ８に取付けられた接続ブロック１０の止め付け部１１との間に架け渡されるチェーンブロック等の保持具１６と、を備える。保持具１６の引き操作により各中継ホース９ｂを持ち上げて垂れ下がらないようにまとめて保持することができる。【選択図】図４
2018021299.tif 000002
【特許請求の範囲】
【請求項１】
ホース並び方向に並んで配索される複数本のホースを建設機械に含まれる固定部分に固定するように当該複数本のホースを保持するための装置であって、上記複数本のホースのそれぞれに取付けられる複数のブラケットと、上記複数のブラケットを吊持する少なくとも一つの吊りロッドと、上記吊りロッドと上記固定部分との間に架け渡されて上記複数本のホースを持ち上げ状態で保持する保持具とを具備し、上記複数のブラケットのそれぞれは、上記吊りロッドに対し脱着自在でかつ上記吊りロッドのロッド長さ方向に移動自在に係止される係止部を備えたことを特徴とする建設機械のホース保持装置。
【請求項２】
上記複数のブラケットのそれぞれは上記係止部としての吊り穴を有し、上記吊りロッドは、上記複数のブラケットのそれぞれの吊り穴に対して上記ロッド長さ方向に抜き差し自在に挿通されることによって、上記複数のブラケットを上記吊りロッドに対して脱着自在かつ上記ロッド長さ方向に移動自在に係止することを特徴とする請求項１記載の建設機械のホース保持装置。
【請求項３】
上記複数本のホースは、互いに高低差を持って配索される複数の上側ホース及び複数の下側ホースを含んで当該上側ホースと当該下側ホースに上記保持具が架け渡され、上記少なくとも一つの吊りロッドは上記複数の上側ホースを係止する上側吊りロッドと上記複数の下側ホースを係止する下側吊りロッドとを含み、上記ホース保持装置は上記上側吊りロッド及び上記下側吊りロッドを相互に連結する連結具をさらに備えることを特徴とする請求項１または２記載の建設機械のホース保持装置。
【請求項４】
上記固定部分に取付けられて上記複数本のホースの位置を上記ホース並び方向の両側から規制することにより当該複数本のホースの横倒れを防止する倒れ止め部材をさらに備えることを特徴とする請求項１〜３のいずれか１項に記載の建設機械のホース保持装置。
【請求項５】
上記建設機械は、固定配管を有する機械本体と、当該機械本体に脱着可能に取付けられ、かつ、上記固定部分を含む作業アタッチメントと、を備え、上記複数本のホースが上記作業アタッチメントと機械本体に跨って配索され、上記複数本のホースのそれぞれは、上記作業アタッチメントが上記機械本体に取付けられた組立状態で上記固定配管に接続される一方、上記作業アタッチメントが上記機械本体から切り離された分解状態で上記固定配管から分離される本体側端部を有し、上記複数のブラケット及び上記少なくとも一つの吊りロッドは上記本体側端部に取付けられ、上記保持具は上記吊りロッドと上記作業アタッチメントの固定部分との間に架け渡されることを特徴とする請求項１〜４のいずれか１項に記載の建設機械のホース保持装置。
【請求項６】
上記建設機械は、上記機械本体に脱着可能に取付けられるアダプタをさらに備えてこのアダプタに作業アタッチメントが取付けられ、上記作業アタッチメントとアダプタが一体に脱着され、上記保持具は上記吊りロッドと上記アダプタとの間に架け渡されることを特徴とする請求項５記載の建設機械のホース保持装置。
【請求項７】
上記複数本のホースのそれぞれが、上記作業アタッチメントに沿って配索されたアタッチメント側ホースと、上記アダプタと上記機械本体の固定配管との間に配索される中継ホースとに分割され、上記アダプタにホース接続ブロックが固定されて上記アタッチメント側ホースの端部と上記中継ホースの端部とが上記接続ブロックによって相接続され、上記複数のブラケット及び上記少なくとも一つの吊りロッドが上記中継ホースの上記本体側端部に取付けられ、上記保持具が上記吊りロッドと上記接続ブロックとの間に架け渡されることを特徴とする請求項６記載の建設機械のホース保持装置。
【請求項８】
上記複数本のホースのそれぞれが、上記作業アタッチメントに沿って配索されたアタッチメント側ホースと、上記アダプタと上記機械本体の固定配管との間に配索される中継ホースとに分割され、上記アダプタにホース接続ブロックが固定されて上記アタッチメント側ホースの端部と上記中継ホースの端部とが上記接続ブロックによって相接続され、上記複数のブラケット及び上記吊りロッドは、上記中継ホースの上記本体側端部に取付けられるものと、上記中継ホース及びアタッチメント側ホースのいずれか一方のアダプタ側端部に取付けられるものと、を含み、上記保持具は上記本体側端部に取付けられる上記吊りロッドと上記アダプタ側端部に取付けられる上記吊りロッドとの間に架け渡されることを特徴とする請求項６記載の建設機械のホース保持装置。
【発明の詳細な説明】
【技術分野】
【０００１】
本発明は解体機や油圧ショベル等の建設機械において、複数本のホースをまとめて保持するホース保持装置に関するものである。
【背景技術】
【０００２】
大型の建設機械においては、法制限から複数のセクションに分解されて輸送され、輸送先で組立てられる。
【０００３】
たとえば超ロングアタッチメント付きの解体機は、図１１に示すように下部走行体１と上部旋回体２から成る自走式かつ旋回式の機械本体（ベースマシン）３に作業アタッチメント４が取付けられて構成され、輸送時には機械本体３と作業アタッチメント４が切り離される。
【０００４】
また、作業アタッチメント４についても、機械本体３（上部旋回体２）に起伏作動可能に取付けられるメインブーム５とその先端に連結されるインサートブーム６に分解され、当該インサートブーム６及びさらにその先端のセクション（フロントブーム、アーム、圧砕装置等の作業装置。図示省略）も必要に応じて分解される。
【０００５】
ここで、多くの場合、メインブーム５と、これを起伏させるブームシリンダ７を一体状態で分解／組立できるように両者をアダプタ８に取付け、このアダプタ８を上部旋回体２に対して脱着する構成がとられている。
【０００６】
一方、作業アタッチメント４を作動させる各油圧アクチュエータと機械本体３側の油圧機器とを接続するアタッチメント配管としての複数本のホース９が、アタッチメント上面（図１１のように倒した状態での上面。以下にいう上下の方向性について同じ）に沿って配索され、機械組立状態でその機械本体側の端部が、機械本体３に配索された図示しない固定配管に接続される。
【０００７】
以下、ホース９について機械本体３に近い側の端部を「基端部」、反対側を「先端部」という。
【０００８】
各ホース９は、油圧アクチュエータからアダプタ８までのアタッチメント側ホース９ａと、アダプタ８から固定配管までの中継ホース９ｂとに分割され、両ホース９ａ，９ｂが、アダプタ８の上面に突設された接続ブロック１０によって接続される。
【０００９】
図１２は、メインブーム５とブームシリンダ７とアダプタ８の三者（以下、「メインブームユニット」という）を上部旋回体２から取外し、かつ、ホース９を固定配管から切り離したユニット分解状態を示し、この状態でメインブームユニットが輸送され、輸送先で機械本体３に取付けられる。
【００１０】
このユニット分解時または組立時に、図示のように中継ホース９ｂの基端側が自重により機械本体側に垂れ下がり、固定配管や構造物に引っ掛かったり作業の邪魔になったりして分解／組立作業に支障を来たす場合があった。
【００１１】
また、各段のインサートブーム６の上面に配索されたホースや、フロントブームとインターブームに跨って配索されたホース等（図示しない）についても、隣接するホースから切り離した状態で垂下し、同様の問題が発生していた。
【００１２】
そこで従来は、ホース群を左右方向に避けたり、邪魔になるホースを持ち上げて作業したりしているが、ホースが太くて硬く、回避操作そのものが困難であるため根本的な解決にはなっていない。
【００１３】
一方、この問題に関連する技術として、特許文献１に示されたものが公知である。
【００１４】
この公知技術においては、機械の分解輸送時に、機械本体側の複数のホースを所定の位置に保持する手段として、各ホースの端部をクランプに把持固定し、このクランプを、機械本体の上面に固設されたブラケットにボルト止めする構成をとっている。
【００１５】
従って、この構成を、図１２に示すユニット分解時の中継ホース９ｂの保持構造として応用すること、たとえばアダプタ８に上記ブラケットを固設する一方、各中継ホース９ｂの基端部をクランプに把持固定し、このクランプをブラケットに止め付ける構成をとることによって、ホース９ｂを垂れ下がらないようにまとめて保持できる可能性がある。
【先行技術文献】
【特許文献】
【００１６】
【特許文献１】実公昭６１−１１３２７号公報
【発明の概要】
【発明が解決しようとする課題】
【００１７】
しかし、上記応用技術によると、各ホースをクランプに把持固定するため、ホース固定作業（ホースをクランプ本体のホース溝にセットして蓋を被せ、ボルトで締め込み固定する作業）、及び逆に各ホースをクランプから解放するホース解放作業がともに手間と時間を要する面倒な作業となる。
【００１８】
また、クランプによってホースの本数と左右方向の位置、間隔が決まってしまうため、ホースの増減等に対応できない等、ホース保持の自由度が低いという課題もある。
【００１９】
そこで本発明は、ホースの固定／解放作業を簡略化できるとともにホース保持の自由度を高めることができる建設機械のホース保持装置を提供するものである。
【課題を解決するための手段】
【００２０】
上記課題を解決する手段として、本発明においては、ホース並び方向に並んで配索される複数本のホースを建設機械に含まれる固定部分に固定するように当該複数本のホースを保持するための装置であって、上記複数本のホースのそれぞれに取付けられる複数のブラケットと、上記複数のブラケットを吊持する少なくとも一つの吊りロッドと、上記吊りロッドと上記固定部分との間に架け渡されて上記複数のホースを持ち上げ状態で保持する保持具とを具備し、上記複数のブラケットのそれぞれは、上記吊りロッドに対し脱着自在でかつ上記吊りロッドのロッド長さ方向に移動自在に係止される係止部を備えたものである。
【００２１】
この構成によれば、上記各ブラケットの係止部を上記吊りロッドに係止させ、この状態で当該吊りロッドと上記固定部分との間に保持具を架け渡すだけでよいため、上記クランプ固定構造と比較してホースの保持作業を簡単、迅速に行うことができる。
【００２２】
しかも、上記各ブラケットは係止部によって上記吊りロッドに対して容易に脱着できるため、クランプ固定構造と比較して、ホース同士の接続／分離等のためのホースの解放／拘束が容易となる。
【００２３】
また、上記各ブラケットは上記吊りロッドに対して当該吊りロッドのロッド長さ方向に移動自在となるため、ホースの並び方向の位置と間隔をホース本数や作業性に応じて自由に選択、調整することができる。すなわち、ホース保持の自由度が高くなる。
【００２４】
この場合、上記複数のブラケットのそれぞれは上記係止部としての吊り穴を有し、上記吊りロッドは、上記複数のブラケットのそれぞれの吊り穴に対して上記ロッド長さ方向に抜き差し自在に挿通されることによって、上記複数のブラケットを上記吊りロッドに対して脱着自在かつ上記ロッド長さ方向に移動自在に係止するのが望ましい。
【００２５】
こうすれば、上記吊りロッドの上記各ブラケットの吊り穴に対する抜き差しだけで当該吊りロッドに対して各ブラケットを脱着できるため、ホースの解放／拘束がとくに容易となる。
【００２６】
請求項１または２の構成において、上記複数本のホースは、互いに高低差を持って配索される複数の上側ホース及び複数の下側ホースを含んで当該上側ホースと当該下側ホースとに上記保持具が架け渡され、上記少なくとも一つの吊りロッドは上記複数の上側ホースを係止する上側吊りロッドと上記複数の下側ホースを係止する下側吊りロッドとを含み、上記ホース保持装置は上記上側吊りロッド及び上記下側吊りロッドを相互に連結する連結具をさらに備えるのが望ましい。
【００２７】
この構成によれば、ホース群が高低差を持った二つのグループに分けて配索される場合に、上下のホース群をそれぞれ上側及び下側吊りロッドに吊持した状態で一体に保持できるため、ホース保持のための作業を能率良く行うことができる。
【００２８】
また本発明においては、上記固定部分に取付けられて上記複数本のホースの位置を上記ホース並び方向の両側から規制することにより当該複数本のホースの横倒れを防止する倒れ止め部材をさらに備えるのが望ましい。
【００２９】
こうすれば、持ち上げたホースの横倒れを防止でき、輸送及び分解／組立時のホース保持状態を安定化させることができる。
【００３０】
上記建設機械が、固定配管を有する機械本体と、当該機械本体に脱着可能に取付けられ、かつ、上記固定部分を含む作業アタッチメントと、を備え、上記複数本のホースが上記作業アタッチメントと機械本体に跨って配索され、上記複数本のホースのそれぞれは、上記作業アタッチメントが上記機械本体に取付けられた組立状態で上記固定配管に接続される一方、上記作業アタッチメントが上記機械本体から切り離された分解状態で上記固定配管から分離される本体側端部を有する場合においては、上記複数のブラケット及び上記少なくとも一つの吊りロッドは上記本体側端部に取付けられ、上記保持具は上記吊りロッドと上記作業アタッチメントの固定部分との間に架け渡されるのがよい。
【００３１】
この構成によれば、機械本体と作業アタッチメントとが脱着される建設機械において、分解／組立時にアタッチメント配管の一部としてのホース（例えば後述の中継ホース）の本体側端部の垂れ下がりを防止し、作業アタッチメントの分解／組立の作業性を向上させることができる。
【００３２】
例えば、上記建設機械が、上記機械本体に脱着可能に取付けられるアダプタをさらに備えてこのアダプタに作業アタッチメントが取付けられ、上記作業アタッチメントとアダプタが一体に脱着される場合、上記保持具は上記吊りロッドと上記アダプタとの間に架け渡されるのが、よい。
【００３３】
この場合、上記複数本のホースのそれぞれが、上記作業アタッチメントに沿って配索されたアタッチメント側ホースと、上記アダプタと上記機械本体の固定配管との間に配索される中継ホースとに分割され、上記アダプタにホース接続ブロックが固定されて上記アタッチメント側ホースの端部と上記中継ホースの端部とが上記接続ブロックによって相接続されるとともに上記アダプタに固定される建設機械においては、上記複数のブラケット及び上記少なくとも一つの吊りロッドが上記中継ホースの上記本体側端部に取付けられ、上記保持具が上記吊りロッドと上記接続ブロックとの間に架け渡されるのがよい。
【００３４】
こうすれば、アタッチメント側ホースと中継ホースを接続するためのホース接続ブロックを保持具の止め付け部分として兼用できるため、この止め付け部分を構成するためのアダプタ側の改造が最小限ですむ。
【００３５】
あるいは、上記複数のブラケット及び上記吊りロッドは、上記中継ホースの上記本体側端部に取付けられるものと、上記中継ホース及びアタッチメント側ホースのいずれか一方のアダプタ側端部に取付けられるものと、を含み、上記保持具が上記本体側端部に取付けられる上記吊りロッドと上記アダプタ側端部に取付けられる上記吊りロッドとの間に架け渡されてもよい。
【００３６】
こうすれば、中継ホースまたはアタッチメント側ホースのアダプタ側端部が保持具の止め付け部分となるため、アダプタ側の改造が一切不要となる。
【発明の効果】
【００３７】
本発明によると、ホースの固定／解放作業を簡略化できるとともにホース保持の自由度を高めることができる。
【図面の簡単な説明】
【００３８】
【図１】本発明の第１実施形態を示すホース保持状態の斜視図である。
【図２】図１の一部の拡大図である。
【図３】図２の一部の分解斜視図である。
【図４】図１に対応する側面図である。
【図５】図４の一部の拡大図である。
【図６】図５のＶＩ−ＶＩ線拡大断面図である。
【図７】本発明の第２実施形態を示すホース保持状態の側面図である。
【図８】本発明の第３実施形態を示ホース保持状態の側面図である。
【図９】本発明の第４実施形態を示すホース保持状態の斜視図である。
【図１０】同、側面図である。
【図１１】本発明の対象となる解体機の一部側面図である。
【図１２】同解体機のホース配索状態を示す斜視図である。
【発明を実施するための形態】
【００３９】
本発明の実施形態を図１〜図１０によって説明する。
【００４０】
各実施形態は、超ロングアタッチメント付きの解体機であって、アダプタ方式をとるものを適用対象とし、アタッチメント配管の一部としての中継ホースを保持する場合を例にとっている。
【００４１】
第１実施形態（図１〜図６参照）
解体機とその配管に関する基本構成は図１１，１２に示す従来技術と同じであり、この共通部分については図１１，１２と同一符号を付し、かつ、適宜両図を引用して説明する。
【００４２】
メインブーム５と、これを起伏させるブームシリンダ７を一体状態で分解／組立できるように両者がアダプタ８に取付けられ、このアダプタ８が、図１１の機械本体３（上部旋回体２）に対して脱着される。
【００４３】
一方、アタッチメント配管としての複数本のホース９がアタッチメント上面に沿って配索され、機械組立状態でその基端部が機械本体側の固定配管に接続される。
【００４４】
各ホース９は、油圧アクチュエータからアダプタ８までのアタッチメント側ホース９ａと、アダプタ８から固定配管までの中継ホース９ｂとに分割され、両ホース９ａ，９ｂが、アダプタ８の上面に突設（図例ではボルト止め）された接続ブロック１０によって接続される。
【００４５】
第１実施形態においては、この接続ブロック１０の先端左右二個所（片側のみ図示する）に、後述する保持具の先端側が止め付けられる止め付け部１１が突設されている。
【００４６】
一方、複数のブラケット１２が各中継ホース９ｂの基端部（口金近傍部）に取付けられている。各ブラケット１２は、たとえば図６に示すように長短二枚のブラケット片１２ａ，１２ｂ（図６のみに符号を付す）で中継ホース９ｂを挟み込んでボルト固定する構造によって取付けられている。
【００４７】
このブラケット１２の上端部に吊り穴１３（図３，５，６のみに符号を付す）が設けられ、丸軸状または丸パイプ状の吊りロッド１４が、各ブラケット１２の吊り穴１３に跨って挿通されている。
【００４８】
この吊りロッド１４は、図５，６に示すように吊り穴１３よりも少し小径とされ、ブラケット１２に対して抜き差し自在、及び当該吊りロッド１４のロッド長さ方向に移動自在で、かつ、中継ホース９ｂの少しの上下位置の差を吸収できる状態で挿通されている。
【００４９】
いいかえれば、ブラケット１２が吊りロッド１４に対して脱着自在、上記ロッド長さ方向に移動自在及び上下動自在となるように当該吊りロッド１４に係止されている。
【００５０】
なお、吊りロッド１４は、両端において脱着自在な抜け止めピン（符号省略）によって抜け止めされる。
【００５１】
また、吊りロッド１４の左右二個所に保持具止め付け用のリンク１５，１５が、ブラケット１２と同様に吊りロッド１４に挿通された状態で取付けられ、左右二個所においてこのリンク１５と接続ブロック１０の止め付け部１１の間に保持具１６が架け渡される。
【００５２】
なお、保持具１６としては、図示のような自力でのホース引き／戻し操作が可能なチェーンブロックや、人力またはクレーン等の牽引機械によって引き／戻し操作されるスリングやチェーン、ロッド等を用いることができる。
【００５３】
以上の構成において、メインブーム５、ブームシリンダ７、アダプタ８のユニット分解／組立時に、保持具１６を引き操作して吊りロッド１４を引っ張ることにより、各中継ホース９ｂを、機械本体側に垂れ下がらないように、また分解／組立の作業の邪魔にならないように持ち上げ、まとめて保持することができる。
【００５４】
このホース保持装置によれば、各中継ホース９ｂのブラケット１２の吊り穴１３に吊りロッド１４を差し込み、保持具１６で引き上げるだけで各中継ホース９ｂをまとめて保持できるため、公知のクランプ固定構造と比較してホース保持作業を簡単、迅速に行うことができる。
【００５５】
しかも、吊りロッド１４を引き抜くことによって各ブラケット１２を容易に脱着できるため、ホース同士の接続／分離等のための中継ホース９ｂの解放／拘束が容易となる。
【００５６】
また、ブラケット１２は吊りロッド１４に対して上記ロッド長さ方向に移動自在となるため、中継ホース９ｂの並び方向（左右方向）の位置と間隔をホース本数や作業性に応じて自由に選択、調整することができる。すなわち、ホース保持の自由度が高くなる。
【００５７】
さらに、第１実施形態によると、アタッチメント側ホース９ａと中継ホース９ｂを接続するための接続ブロックを保持具の止め付け部として兼用できるため、この止め付け部を構成するためのアダプタ側の改造が最小限ですむ。
【００５８】
第２実施形態（図７参照）
以下の第２〜第４各実施形態においては、第１実施形態との相違点のみを説明する。
【００５９】
第２実施形態においては、アタッチメント側ホース９ａの基端部（接続ブロック１０に固定された端部）にも、中継ホース９ｂに取付けられたのと同じ、吊り穴付きのブラケット１７、吊りロッド１８、保持具止め付け用のリンク１９がそれぞれ取付けられ、両リンク１５，１９間に保持具１６が架け渡されている。つまり、当該保持具１６は中継ホース９ｂに取付けられる吊りロッド１４とアタッチメント側ホース９ａに取付けられる吊りロッド１８との間に架け渡されている。
【００６０】
すなわち、接続ブロック１０に固定されたアタッチメント側ホース９ａを保持具止め付け部（固定部分）として、保持具１６によって中継ホース９ｂを持ち上げるように構成されている。
【００６１】
なお、この第２実施形態のバリエーションとして、中継ホース９ｂの先端部にブラケット１７、吊りロッド１８、リンク１９を取付け、中継ホース先端部を固定部分として同ホース先端側を持ち上げるようにしてもよい。
【００６２】
この第２実施形態及び上記バリエーションによれば、アタッチメント側ホース９ａまたは保持具１６ｂのアダプタ側端部が保持具１６の止め付け部となるため、アダプタ８側の改造が一切不要となる。
【００６３】
第３実施形態（図８参照）
第３実施形態においては、中継ホース群が高低差を持った二つのグループ、つまり複数の上側中継ホース９ｂ１からなるグループ及び複数の下側中継ホース９ｂ２からなるグループ、に分けて配索される場合の構成として、上側及び下側ホース９ｂ１，９ｂ２のそれぞれにブラケット１２が取付けられるとともに上側及び下側ホース９ｂ１，９ｂ２にそれぞれ上側及び下側吊りロッド１４，１４が取付けられる。互いに対をなすブラケット１２，１２同士が連結リンク２０によって連結され、これにより、当該連結リンク２０は上側吊りロッド１４と下側吊りロッド１４とを相互に連結する。そして、上部ホース側の吊りロッド１４に取付けた保持具１６によって上部及び下部両ホース９ｂ１，９ｂ２を一体に持ち上げ保持する構成がとられている。
【００６４】
この場合、保持具止め付け用のリンク１５は上部の吊りロッド１４のみに設ければよい。
【００６５】
なお、図８には、保持具１６の先端側をアダプタ側（固定部分）に止め付ける構造として、第２実施形態の構成を採用した場合を例示しているが、前記した第２実施形態のバリエーションの構成、または第１実施形態の構成を採用してもよい。
【００６６】
この第３実施形態によれば、上下のホース群をそれぞれ吊りロッド１４，１４に吊持した状態で一体に保持できるため、ホース保持のための作業を能率良く行うことができる。
【００６７】
第４実施形態（図９，１０参照）
第４実施形態においては、中継ホース９ｂを左右両側から位置規制して横倒れを防止する倒れ止め部材２１が固定部分としてのアダプタ８に前方に向けて突設されている。
【００６８】
この倒れ止め部材２１は、アダプタ８の左右両側面に固定された板状の本体２１ａ，２１ａが連結桟２１ｂで連結されて成り、両側本体２１ａ，２１ａによって中継ホース９ｂの横倒れが防止される。
【００６９】
また、連結桟２１ｂで中継ホース９ｂを上から押さえ込むことにより、同ホース９ｂの縦、横の揺れを抑制することができる。
【００７０】
なお、両側本体２１ａ，２１ａは丸または角の棒状でもよい。また、連結桟２１ｂは図示の丸軸状に限らず板状でもよい。
【００７１】
この第４実施形態によれば、持ち上げた中継ホース９ｂの横倒れを防止して輸送及び分解／組立時のホース保持状態を安定化させることができる。
【００７２】
その他の実施形態
（１）  上記各実施形態においては、ブラケット１２，１７に係止部としての吊り穴１３を設け、この吊り穴１３に吊りロッド１４，１８を挿通させてブラケット１２，１７を吊りロッド１４，１８に吊持する構成をとったが、各ブラケット１２，１７にフック状の係止部を設け、この係止部を吊りロッド１４，１８に引っ掛け係止させる構成をとってもよい。
【００７３】
（２）  上記各実施形態においては、すべての中継ホース９ｂを吊りロッド１４に吊持する構成をとったが、たとえば一本置き等、ホース群のうちの特定複数本の中継ホース９ｂのみを吊りロッド１４に吊持し、この吊持されたホース９ｂに残りをリンク等で連結する構成をとってもよい。
【００７４】
（３）  本発明は中継ホース９ｂに限らず、たとえば図１１に示すメインブーム５とインサートブーム６とに跨って配索されるホースや、隣接するインサートブーム同士の間、フロントブームとインターブームの間、インターブームとアームの間等に配索されるホースについても、上記同様に適用することができる。
【符号の説明】
【００７５】
１  下部走行体
２  上部旋回体
３  機械本体
４  作業アタッチメント
５  作業アタッチメントを構成するメインブーム
６  作業アタッチメントを構成するインサートブーム
７  作業アタッチメントを構成するブームシリンダ
８  固定部分としてのアダプタ
９  ホース
９ａ  アタッチメント側ホース
９ｂ  中継ホース
９ｂ１  上部ホース
９ｂ２  下部ホース
１０  接続ブロック
１１  接続ブロックの止め付け部
１２  ブラケット
１３  係止部としての吊り穴
１４  吊りロッド
１５  保持具止め付け用のリンク
１６  保持具
１７  ブラケット
１８  吊りロッド
１９  保持具止め付け用のリンク
２０  連結リンク
２１  倒れ止め部材
【図１】
2018021299.tif 000003
【図２】
2018021299.tif 000004
【図３】
2018021299.tif 000005
【図４】
2018021299.tif 000006
【図５】
2018021299.tif 000007
【図６】
2018021299.tif 000008
【図７】
2018021299.tif 000009
【図８】
2018021299.tif 000010
【図９】
2018021299.tif 000011
【図１０】
2018021299.tif 000012
【図１１】
2018021299.tif 000013
【図１２】
2018021299.tif 000014